(57)【要約】【課題】ムービングプレートを備えたコネクタにおいて雄端子金具の変形を防ぐ。【解決手段】本発明のコネクタは、フード部１４を有する雄側コネクタ１０と、フード部１４内に嵌合する雌側コネクタ６０と、雄端子金具２０を位置決めするムービングプレート４０とを備え、ムービングプレート４０は、位置決め孔４７を有し板状のプレート本体部４２を備え、プレート本体部４２は、雄端子金具２０の先端部が位置決め孔４７を通ってプレート本体部４２の前面側に突出する初期位置から雌側コネクタ６０とともにフード部１４の奥側に移動し、プレート本体部４２に、初期位置にて突出する雄端子金具２０の先端部を保護する保護壁４１が前方に突出して設けられ、雌側コネクタ６０に、保護壁４１を逃がす凹部６６が設けられているコネクタであって、保護壁４１は、一の雄端子金具群２０とこれに隣り合う他の雄端子金具群２０との間に配置されている構成とした。【選択図】図４
2010146930.tif 000002
【特許請求の範囲】
【請求項１】
複数のサブハウジングがフレームに組み付けられることで、筒状のフード部が設けられた雄側ハウジングと、前方から前記フード部内に嵌合される雌側ハウジングと、前記雄側ハウジング内に収容された雄端子金具を前記フード部内にて位置決めするムービングプレートとを備え、
前記ムービングプレートは、位置決め孔を有し板状のプレート本体部を備え、前記プレート本体部は、前記雄端子金具の先端部が前記位置決め孔を通って前記プレート本体部の前面側に突出する初期位置から前記雌側ハウジングとともに前記フード部の奥側に移動し、
前記プレート本体部に、前記初期位置にて突出する前記雄端子金具の先端部を保護する保護壁が前方に突出して設けられ、前記雌側ハウジングに、前記保護壁を逃がす凹部が設けられているコネクタであって、
前記保護壁は、一の前記サブハウジングに並んで設けられた複数の前記雄端子金具を一の雄端子金具群としたときに、前記一の雄端子金具群とこれに隣り合う他の前記雄端子金具群との間に配置されていることを特徴とするコネクタ。
【請求項２】
前記保護壁は、前方に向かうほど細くなる形状とされている請求項１に記載のコネクタ。
【請求項３】
前記ムービングプレートは、前記プレート本体部の周縁から前方に突出する周壁部を備え、前記保護壁の前端部における両端部から前記プレート本体部に至る両側縁は、前記周壁部にそれぞれ連結されており、
前記保護壁には、前端部を切り欠くことにより切欠部が形成されている請求項１または請求項２に記載のコネクタ。
【請求項４】
前記保護壁には、側方に張り出すようにして補強壁が連設されており、前記プレート本体部において前記補強壁と対応する位置には、治具挿入用の孔が設けられている請求項３に記載のコネクタ。
【発明の詳細な説明】
【技術分野】
【０００１】
本発明は、コネクタに関する。
【背景技術】
【０００２】
従来、ムービングプレートを備えたコネクタとして、例えば下記特許文献１に記載のコネクタが知られている。このコネクタは、筒状のフード部を有する雄側コネクタとフード部内に前方から嵌合する雌側コネクタとを備えている。ムービングプレートは、フード部内にて前後方向に移動可能に収容されている。そして、ムービングプレートは、複数の位置決め孔を有する板状のプレート本体部を備え、雌側ハウジングとの嵌合前における初期位置では、雄端子金具の先端部が位置決め孔を通ってプレート本体部の前面側に臨むようになっている。これにより、初期位置にて本体部の前面から突出した雄端子金具の先端部にプローブピンを前方から押し当てることで導通検査をすることができる。
【特許文献１】特開２００６−１９６２２５公報
【発明の開示】
【発明が解決しようとする課題】
【０００３】
しかしながら、上記のように、導通検査を行うために本体部の前面から雄端子金具の先端部が突出する構成とした場合、フード部内に雌側ハウジングが前後方向に対し傾いた姿勢で進入してきたときに、雌側ハウジングの角部が雄端子金具の先端部に突き当たり、雄端子金具の先端部が変形するおそれがあった。
【０００４】
本発明は上記のような事情に基づいて完成されたものであって、ムービングプレートを備えたコネクタにおいて雄端子金具の変形を防ぐことを目的とする。
【課題を解決するための手段】
【０００５】
本発明は、複数のサブハウジングがフレームに組み付けられることで、筒状のフード部が設けられた雄側ハウジングと、前方からフード部内に嵌合される雌側ハウジングと、前記雄側ハウジング内に収容された雄端子金具を前記フード部内にて位置決めするムービングプレートとを備え、ムービングプレートは、位置決め孔を有し板状のプレート本体部を備え、プレート本体部は、雄端子金具の先端部が位置決め孔を通ってプレート本体部の前面側に突出する初期位置から雌側ハウジングとともにフード部の奥側に移動し、プレート本体部に、初期位置にて突出する雄端子金具の先端部を保護する保護壁が前方に突出して設けられ、雌側ハウジングに、保護壁を逃がす凹部が設けられているコネクタであって、保護壁は、一のサブハウジングに並んで設けられた複数の雄端子金具を一の雄端子金具群としたときに、一の雄端子金具群とこれに隣り合う他の雄端子金具群との間に配置されている構成としたところに特徴を有する。
【０００６】
このような構成によると、フード部内にムービングプレートが初期位置にて収容された状態で、同フード部内に前方から不正姿勢をとった雌側ハウジングが進入してきても、雌側ハウジングの角部が保護壁の突出端部に突き当たることで、雄端子金具の変形を防ぐことができる。ここで、不正姿勢とは、嵌合方向と交差する方向のうち互いに直交する向きを縦方向および横方向としたときに、縦方向に傾いた斜め姿勢および横方向に傾いた斜め姿勢の双方をいう。つまり、フード部の間口が略正方形であるため、雌側ハウジングがとり得る不正姿勢としては、縦方向に傾いた姿勢と横方向に傾いた姿勢の双方が想定されるところ、いずれの方向に傾いた場合でも雄端子金具の変形を防ぐことができる。
【０００７】
本発明の実施の態様として、以下の構成が好ましい。
保護壁は、前方に向かうほど細くなる形状とされている構成としてもよい。
このような構成によると、保護壁を凹部に対して進入させやすくなる。
【０００８】
ムービングプレートは、プレート本体部の周縁から前方に突出する周壁部を備え、保護壁の前端部における両端部からプレート本体部に至る両側縁は、周壁部にそれぞれ連結されており、保護壁には、前端部を切り欠くことにより切欠部が形成されている構成としてもよい。
このような構成によると、保護壁の両側縁を周壁部にそれぞれ連結したことにより、保護壁の倒れ防止を行うことができるとともに、ムービングプレート全体の剛性を高めることができる。また、切欠部を設けたことにより、例えば凹部内にロック部などが設けられている場合に、このロック部と保護壁とが干渉しないようにすることができる。
【０００９】
保護壁には、側方に張り出すようにして補強壁が連設されており、プレート本体部において補強壁と対応する位置には、治具挿入用の孔が設けられている構成としてもよい。
このような構成によると、補強壁により保護壁の倒れ防止を行うことができるとともに、孔に治具を挿入する際には、補強壁によって治具が雄端子金具に接触することを回避できる。また、補強壁を設けたことで不正姿勢をとった雌側ハウジングと干渉可能な面積が増加し、雌側ハウジングが保護壁ないし補強壁と干渉しやすくなるため、雄端子金具の変形を効果的に防ぐことができる。
【発明の効果】
【００１０】
本発明によれば、ムービングプレートを備えたコネクタにおいて雄端子金具の変形を防ぐことができる。
【発明を実施するための最良の形態】
【００１１】
＜実施形態１＞
本発明の実施形態１を図１ないし図１７の図面を参照しながら説明する。本実施形態のコネクタは、図１に示すように、レバー８０の回動操作に基づいて互いに嵌合可能とされる雄側コネクタ１０および雌側コネクタ６０と、雄側コネクタ１０に装着されるムービングプレート４０とを備える。なお、以下の説明において前後方向については、両コネクタ１０，６０の嵌合面側を前方とする。
【００１２】
雌側コネクタ６０は、図９に示すように、複数の雌側サブコネクタ６１を合成樹脂製の雌側フレーム６２に組み付けた構成とされている。各雌側サブコネクタ６１は、合成樹脂製の雌側サブハウジング６３を有している。本発明でいう雌側ハウジングは、雌側フレーム６２と複数の雌側サブハウジング６３とから構成されている。この雌側ハウジングは、全体として略方形のブロック状をなしており、略正方形の嵌合面を有している。
【００１３】
雌側フレーム６２の内部には、図６の右側に示すように、雌側サブコネクタ６１を収容可能な雌側サブコネクタ収容部６４が前後方向に貫通して形成されている。雌側サブハウジング６３の外面には、ロック受部６３Ａが設けられている。一方、雌側サブコネクタ収容部６４の内部には、ロック受部６３Ａに係止して雌側サブコネクタ６１を抜け止め状態に保持するロック部６４Ａが設けられている。
【００１４】
これにより、後方から雌側サブコネクタ収容部６４の内部に雌側サブコネクタ６１が図６に示す正規の挿入位置に挿入されると、ロック部６４Ａがロック受部６３Ａに係止することによって雌側サブコネクタ６１が雌側サブコネクタ収容部６４の内部において後方に抜け止めされた状態で収容される。
【００１５】
雌側サブコネクタ６１の内部には、図９に示すように、雌端子金具７０を収容するキャビティ６５が高さ方向（図９における上下方向）に並んで配置されている。キャビティ６５は、雌側サブハウジング６３を前後方向に貫通して形成されている。雌端子金具７０は、図６に示すように、ランス６４Ｂおよびリテーナ６９によってキャビティ６５の内部で後方に抜け止めされた状態で収容されている。
【００１６】
雌側フレーム６２の嵌合面（前面）において各雌側サブコネクタ６１間には、図９に示すように、凹部６６が形成されている。この凹部６６は、各雌側サブコネクタ６１の嵌合面より一段低くなるように凹み形成されている。この凹部６６には、後述するように、両コネクタ１０，６０の嵌合時に、ムービングプレート４０に設けられた保護壁４１が進入するようになっている。
【００１７】
雌側フレーム６２の両側面には、高さ方向略中央部に、前後方向に延びた断面長円形をなす一対の第１カムピン６７が突設されている。また、両第１カムピン６７の下方には、前後方向に延びた一対のガイドリブ６８が形成されている。両ガイドリブ６８によって両コネクタ１０，６０の嵌合の案内がなされるとともに、両コネクタ１０，６０の誤嵌合が防止される。
【００１８】
雄側コネクタ１０は、図１７に示すように、複数の雄側サブコネクタ１１を合成樹脂製の雄側フレーム１２に組み付けた構成とされている。各雄側サブコネクタ１１は、合成樹脂製の雄側サブハウジング１３を有している。本発明でいう雄側ハウジングは、雄側フレーム１２と複数の雄側サブハウジング１３とから構成されている。
【００１９】
雄側フレーム１２において雄側サブハウジング１３より前方に突出するようにして、略角筒状のフード部１４が形成されている。フード部１４は、複数の雄側サブハウジング１３によって構成される嵌合面の周縁から前方に突出している。フード部１４は、略正方形の間口を有している。フード部１４の内部には、ムービングプレート４０を収容可能である。
【００２０】
雄側フレーム１２の内部には、図６の左側に示すように、雄側サブコネクタ１１を収容可能な雄側サブコネクタ収容部１６が前後方向に貫通して形成されている。雄側サブハウジング１３の外面には、ロック受部１３Ａが設けられている。一方、雄側サブコネクタ収容部１６の内部には、ロック受部１３Ａに係止して雄側サブコネクタ１１を抜け止め状態に保持するロック部１６Ａが設けられている。
【００２１】
これにより、後方から雄側サブコネクタ収容部１６の内部に雄側サブコネクタ１１が図６に示す正規の挿入位置に挿入されると、ロック部１６Ａがロック受部１３Ａに係止することによって雄側サブコネクタ１１が雄側サブコネクタ収容部１６の内部において後方に抜け止めされた状態で収容される。
【００２２】
雄側サブコネクタ１１の内部には、図１７に示すように、雄端子金具２０を収容するキャビティ１５が高さ方向に並んで配置されている。キャビティ１５は、図６の左側に示すように、雄側サブハウジング１３を前後方向に貫通して形成されている。雄端子金具２０は、ランス１６Ｂおよびリテーナ１７によってキャビティ１５の内部で後方に抜け止めされた状態で収容されている。両コネクタ１０，６０を嵌合させると、両端子金具２０，７０が電気的に接続される。
【００２３】
雄側フレーム１２の両側面には、高さ方向略中央部に、レバー８０を支持する一対の支持軸１８が突設されている。また、雄側フレーム１２の両側面には、図１６に示すように、フード部１４の前端開口縁から支持軸１８に向けて直線状に切り欠いた一対の逃がし溝１９が凹み形成されている。両コネクタ１０，６０の嵌合時には、逃がし溝１９に第１カムピン６７が進入するようになっている。
【００２４】
レバー８０は合成樹脂製であって、図８に示すように、左右一対の板状をなすアーム部８１と、両アーム部８１を連結する操作部８２とからなり、全体として門形に形成されている。アーム部８１には支持軸１８を受ける軸受孔８３が形成されている。レバー８０は、その軸受孔８３に支持軸１８を嵌合させることで、その嵌合位置を中心として、アーム部８１が高さ方向に切り立つ待機位置と、アーム部８１が雌側コネクタ６０の両側面外方を横切って操作部８２が雌側コネクタ６０の後方に回り込む嵌合位置との間で、回動可能となっている。雌側コネクタ６０の後面には、嵌合位置におけるレバー８０の操作部８２と係止するレバー係止部６０Ａが後方に突出して設けられている。また、アーム部８１の内面には、軸受孔８３を中心とする弧状のカム溝８４がアーム部８１の周縁に開口して形成されている。
【００２５】
ムービングプレート４０は合成樹脂製であって、フード部１４内に配置され、各雄端子金具２０を縦方向及び横方向において位置決めする役割を担っている。ここで、縦方向及び横方向とは、両コネクタ１０，６０の嵌合・離脱方向と平行な方向を前後方向としたときに、前後方向と直交する平面において互いに直交する方向をいう。このムービングプレート４０は、フード部１４内にて前後方向への移動を可能とされている。ムービングプレート４０は、図１０に示すように、その移動方向と略直角な板状をなす略方形のプレート本体部４２と、プレート本体部４２の周縁から前方に突出する略角筒状の周壁部４３とを備えてなる。両コネクタ１０，６０の嵌合時、周壁部４３の外周面がフード部１４の内周面に摺接可能に移動するようになっている。そして、周壁部４３の内面には、図８に示すように、両ガイドリブ６８と対応する位置に、一対の切り欠き４４が形成されている。フード部１４の内面のうち両切り欠き４４と対応する位置には、ガイドリブ６８を受け入れる一対の受け溝１４Ａが凹み形成されている。
【００２６】
周壁部４３の両側面には、高さ方向略中央部に、前後方向に延びて周壁部４３の前端縁に開口する一対の導入溝４５が第１カムピン６７を受け入れ可能に形成されている。そして、周壁部４３の両側面には、第２カムピン４６が導入溝４５を跨ぐようにして外方に突出して形成されている。第２カムピン４６は、前方から見ると略門形をなし、その内側に第１カムピン６７を嵌合可能としている。第２カムピン４６は、その内側へ第１カムピン６７が入ってきたときに、両コネクタ１０，６０の嵌合完了に至るまでの間、第１カムピン６７と合体した状態でレバー８０のカム溝８４に係合される。これにより、レバー８０の回動操作により、雌側コネクタ６０とムービングプレート４０が一体となって移動するようになっている。
【００２７】
導入溝４５の両側壁を構成する部分は、図１１に示すように、周壁部４３の外側面から外方に突出する規制突部４８とされている。規制突部４８は、周壁部４３の両側面にそれぞれ設けられ、同側面からオーバーハング状に張り出すとともに、図１２ないし図１４に示すように、前後方向に延びる形態をなしている。一方、ムービングプレート４０を収容するフード部１４の内周面には、図１７に示すように、両規制突部４８を受け入れる一対の規制凹部２１が設けられている。両規制凹部２１は、両規制突部４８とあり溝状に嵌合可能である。これにより、周壁部４３が成形過程で内側に凹んで形成された場合であっても、両規制突部４８と両規制凹部２１が嵌合することによって周壁部４３を正規の姿勢に矯正することができる。
【００２８】
また、プレート本体部４２には、図１１に示すように、各雄端子金具２０を挿通する位置決め孔４７が整列して貫通形成されている。位置決め孔４７は、詳細には図１５に示すように、プレート本体部４２の後面にラッパ状に拡開されることで各雄端子金具２０の誘い込みをなす一方、プレート本体部４２の前面に窄み状態で開口されることで各雄端子金具２０の位置決めを保障している。ムービングプレート４０は、両コネクタ１０，６０の嵌合時、プレート本体部４２が各雄側サブコネクタ１１の前面より浮いた状態となる初期の組付け位置（以下、初期位置）からプレート本体部４２が各雄側サブコネクタ１１の前面に当接する嵌合完了時の位置（終端位置）にかけて移動するわけであるが、その移動経路のいずれの位置にあっても、雄端子金具２０は位置決め孔４７に貫通した状態に保たれ、これによって雄端子金具２０の位置決めが確実になされる。ムービングプレート４０が初期位置にあるときに、プレート本体部４２の前面には、図６に示すように、雄端子金具２０の先端部が突出して嵌合面側に臨むようになっている。この状態で、図示しない導通検査に供される。なお、フード部１４内における各雄端子金具２０の先端位置は前後方向について同じ位置に揃っている。
【００２９】
さて、プレート本体部４２の前面（雌側コネクタ６０との対向面）には、図１０に示すように、複数の保護壁４１が前方に突出して設けられている。これらの保護壁４１は、雌側コネクタ６０の前面（雄側コネクタ１０との嵌合面）に形成された凹部６６と対応して設けられている。すなわち、両コネクタ１０，６０の嵌合時に、各雌側サブコネクタ６１は、保護壁４１によって区画されることを意味する。これは、換言すると、各雄側サブコネクタ１１を区画する位置に保護壁４１が設けられていることを意味する。つまり、いずれか一の雄側サブコネクタ１１に並んで配置された複数の雄端子金具２０を一の雄端子金具群２０としたときに、保護壁４１は、一の雄端子金具群２０とこれに隣り合う他の雄端子金具群２０との間に配置されている。したがって、一の雄端子金具群２０を挿通する複数の位置決め孔４７を一の位置決め孔群４７としたときに、図１１に示すように、保護壁４１は、一の位置決め孔群４７とこれに隣り合う他の位置決め孔群４７との間に配置されている。
【００３０】
保護壁４１は、プレート本体部４２の前面から略垂直に立ち上がる形態をなしてプレート本体部４２に連結されている。また、保護壁４１の前端部における両端部からプレート本体部４２に至る両側縁は、周壁部４３にそれぞれ連結されている。詳細には、保護壁４１は、周壁部４３のうち第２カムピン４６が設けられていない一対の壁部を連結している。この結果、保護壁４１は、周壁部４３のうち第２カムピン４６が設けられている一対の壁部とほぼ平行をなして配置されている。これにより、保護壁４１は、両側縁が周壁部４３に連結されることでプレート本体部４２の前面に倒れることが規制されるとともに、ムービングプレート４０全体も、保護壁４１と一体に連結されることで剛性が高くなっている。
【００３１】
保護壁４１の前端部には、幅方向中央と幅方向両側とを切り欠くことによって３つの切欠部４１Ａが形成されている。３つの切欠部４１Ａのうち中央の切欠部４１Ａには、両コネクタ１０，６０の嵌合時に、雌側コネクタ６０のロック部６４Ａが配置されるようになっている。すなわち、同中央の切欠部４１Ａによって、両コネクタ１０，６０の嵌合時に、保護壁４１とロック部６４Ａとの干渉が回避できるようになっている。
【００３２】
また、保護壁４１には、３つの切欠部４１Ａのうち中央の切欠部４１Ａに対応する位置に、保護壁４１の側方に張り出すようにして一対の対向壁（本発明の「補強壁」の一例）４１Ｂが連設されている。このため、保護壁４１がプレート本体部４２の前面に倒れることが規制される。また、対向壁４１Ｂの前端部は、切欠部４１Ａの前端部と面一をなしている。したがって、雌側コネクタ６０が不正姿勢でフード部１４内に進入してきたときに、雌側コネクタ６０と干渉可能な面積が増加することとなり、雌側コネクタ６０が保護壁４１もしくは両対向壁４１Ｂと干渉しやすくなる。よって、雄端子金具２０の変形を効果的に防ぐことができる。
【００３３】
プレート本体部４２において両対向壁４１Ｂ間に対応する位置には、図１１に示すように、ロック部１６Ａの解除操作を行う解除治具を挿通させる通し孔（本発明の「治具挿入用の孔」の一例）４２Ａが貫通形成されている。したがって、ムービングプレート４０がフード部１４内に収容された状態であっても、通し孔４２Ａに解除治具を通して挿入することにより、ロック部１６Ａとロック受部１３Ａとの係止を解除することができる。このとき、解除治具は、両対向壁４１Ｂ間を通って通し孔４２Ａに挿入されるため、解除治具が雄端子金具２０に接触することを回避でき、雄端子金具２０の変形などを防ぐことができる。
【００３４】
なお、保護壁４１は、図７に示すように、前方に向かうほど細くなる形状とされている。また、保護壁４１の前端の内外縁（厚み方向両端縁）は切り欠かれて面取りされている。これにより、両コネクタ１０，６０の嵌合時に、保護壁４１の両側面によって保護壁４１を凹部６６内に進入させる際の誘い込みが行われ、雌側コネクタ６０の凹部６６に保護壁４１が嵌合し、ムービングプレート４０がフード部１４内を位置決め状態で移動可能となっている。
【００３５】
ところで、図６に示すように、保護壁４１のプレート本体部４２の前面からの突出量は、位置決め孔４７から前方に突出した雄端子金具２０の先端部の突出量よりも大きくなっている。この理由は、図４または図５に示すように、フード部１４内にムービングプレート４０が初期位置にて収容された状態で、同フード部１４内に前方から不正姿勢をとった雌側コネクタ６０が進入してきても、雌側コネクタ６０の角部が保護壁４１の前端部に突き当たることを回避し、雄端子金具２０の損傷を防ぐためである。
【００３６】
特に、本実施形態の雌側コネクタ６０は略正方形のブロック状をなし、これに伴って、雄側コネクタ１０は略正方形の間口を有するフード部１４を備えているため、雌側コネクタ６０の嵌合面における４辺に位置するいずれの角部も、等しい確率をもってフード部１４内に傾いた姿勢で進入してくる可能性がある。このため、仮に保護壁を全ての位置決め孔４７の集合した孔群を囲む外回りに突設して設けると、孔群の中央部に雌側コネクタ６０の嵌合面におけるいずれかの角部が進入してきた場合に、雄端子金具２０が損傷を受けやすくなってしまう。その点、本実施形態では、複数の保護壁４１が隣り合う雄端子金具群２０の間に配置されているため、フード部１４の前面の中央部に雌側コネクタ６０の嵌合面の角部が進入してきても、隣り合う保護壁４１が雌側コネクタ６０の嵌合面において隣り合ういずれか２辺に接触することにより、雄端子金具２０の先端部が同嵌合面の角部によって損傷を受けることを回避できる。
【００３７】
本実施形態は以上のような構成であって、続いてその作用を説明する。まず、雌側コネクタ６０と雄側コネクタ１０とを嵌合する際には、図６に示すように、周壁部４３の外周面をフード部１４の内周面に沿わせつつ、図２に示すように、ムービングプレート４０を初期位置に留め置くとともに、レバー８０を待機位置に保持させる。その状態で、フード部１４内に前方から雌側コネクタ６０を進入させる。この場合に、図７に示すように、雌側コネクタ６０が正規姿勢をとってフード部１４内に進入すると、つまり、雌側コネクタ６０がその前面（嵌合面）を高さ方向に沿わせるようその前面を前後軸と略直角な方向に向けた状態でフード部１４内に進入すると、ムービングプレート４０内に雌側コネクタ６０が嵌入し、雌側コネクタ６０の側面が周壁部４３によって包囲されるとともに、雌側コネクタ６０の前面がプレート本体部４２の前面と対面する。この状態では、図２に示すように、第１カムピン６７がレバー８０のカム溝８４の入口に進入するとともに導入溝４５に嵌入され、第１カムピン６７と第２カムピン４６が合体した状態でカム溝８４と係合可能となる。
【００３８】
次に、レバー８０を嵌合位置側へ回動すると、第２カムピン４６とカム溝８４との係合によるカム作用により、雌側コネクタ６０がフード部１４の奥側へ引き込まれるように相対移動し、両コネクタ１０，６０が互いに接近する。このとき、プレート本体部４２の保護壁４１が雌側コネクタ６０の凹部６６に嵌入した状態となり、ムービングプレート４０が雌側コネクタ６０と一体となってフード部１４の奥側へ平行に移動する。ムービングプレート４０が移動する間、各雄端子金具２０は、位置決め孔４７を貫通したままであって正しい位置に保持され、その先端側から順次雌端子金具７０内に入り込み、雌端子金具７０側との嵌合深さを増していく。そして、ムービングプレート４０が終端位置に至ってレバー８０が嵌合位置に達すると、図３に示すように、両コネクタ１０，６０が正規嵌合状態となり、雄端子金具２０が雌端子金具７０に正規深さで嵌合して、両端子金具２０，７０が導通可能に接続される。
【００３９】
一方、雌側コネクタ６０が不正姿勢をとってフード部１４内に進入すると、つまり、雌側コネクタ６０の嵌合面における４辺のうちいずれか一方の辺（角部）６０Ｂが他方の辺（角部）６０Ｃに先行してフード部１４内に入ると、図４に示すように、雌側コネクタ６０がその前面を前後方向に対し縦方向に傾けた状態でフード部１４内に進入し、あるいは、図５に示すように、雌側コネクタ６０がその前面を前後方向に対し横方向に傾けた状態でフード部１４内に進入する。すると、一方の辺（角部）６０Ｂは、保護壁４１の前端、詳細には隣り合う両保護壁４１の前端に突き当たってそこで受け止められる。このとき、一方の辺（角部）６０Ｂは、隣り合う両保護壁４１間に配された雄端子金具２０上を跨ぐように配され、その幅方向両端部が両保護壁４１に接触するものの、その幅方向中間部が雄端子金具２０と非接触状態に保たれる。したがって、雌側コネクタ６０が不正姿勢をとってフード部１４内に進入してきても、雌側コネクタ６０における一方の辺（角部）６０Ｂに雄端子金具２０の先端が接触することはなく、つまり、保護壁４１によって雄端子金具２０が保護状態に置かれる。なお、雌側コネクタ６０の前面が前後方向に対し縦方向や横方向に位置ずれした場合には、雌側コネクタ６０の前面がフード部１４の開口縁に突き当たるから、そもそも雌側コネクタ６０がフード部１４内に進入することはない。よって、雌側コネクタ６０が不正姿勢をとってフード部１４内に進入する態様としては、上記した雌側コネクタ６０の前面が前後方向に対し縦方向や横方向に傾いた場合のみを考慮すれば足りる。
【００４０】
以上説明したように本実施形態によれば、次の効果を奏する。フード部１４内に前方から不正姿勢をとった雌側コネクタ６０が進入してきた場合に、雌側コネクタ６０の一方の角部６０Ｂが保護壁４１の前端に突き当たることで、雄端子金具２０との接触を回避できるから、雄端子金具２０が塑性変形するのを防止できる。また、保護壁４１を前方に向かうほど細くなる形状としたから、保護壁４１を凹部６６に進入させる際の誘い込みが可能である。また、保護壁４１の前端に切り欠き４４を設けたから、この切り欠き４４にロック部６４Ａが収容されることで保護壁４１とロック部６４Ａとが干渉することを回避できる。
【００４１】
＜他の実施形態＞
本発明は上記記述及び図面によって説明した実施形態に限定されるものではなく、例えば次のような実施形態も本発明の技術的範囲に含まれる。
（１）本実施形態では、ムービングプレート４０が初期位置にあるときに切り欠き４４が雄端子金具２０の先端部より前方に突出した位置に配されているものの、本発明によると、初期位置にて切り欠き４４が雄端子金具２０の先端部より引っ込んだ位置に配されていても、保護壁４１の切り欠き４４以外の部分によって雄端子金具２０の変形を防止できる構造であればよい。
【００４２】
（２）本実施形態では、保護壁４１の両側縁が周壁部４３に連結されているものの、本発明によると、保護壁４１の両側縁が周壁部４３に連結されていないものでもよい。また、ムービングプレート４０が周壁部４３を備えていない構成としてもよい。
【００４３】
（３）本実施形態では、雄側サブコネクタ１１に設けられた複数の雄端子金具２０を一の雄端子金具群２０と定義しているものの、本発明によると、雄側サブコネクタ１１内において２列で配された複数の雄端子金具２０のうち一列目に配された複数の雄端子金具２０を一の雄端子金具群２０とし、同二列目に配された複数の雄端子金具２０を他の雄端子金具群２０と定義してもよい。
【００４４】
（４）本実施形態では、保護壁４１の前端が雄端子金具２０の先端部より前方に突出しているものの、本発明によると、保護壁４１の前端が雄端子金具２０の先端部と同じ位置に揃っていていもよい。
（５）本発明は、レバー式でないコネクタに適用してもよい。
【００４５】
（６）本実施形態では、保護壁４１が先端に向かうほど細くなる形状としているものの、本発明によると、保護壁４１を同一幅で突出する形態としてもよい。
【００４６】
（７）本実施形態では、保護壁４１の前端部における幅方向両側と幅方向中央にそれぞれ切り欠き４４を設けているものの、本発明によると、保護壁４１の前端部における幅方向中央のみに切り欠き４４を設けてもよいし、切り欠き４４を全く設けなくてもよい。
【００４７】
（８）本実施形態では、保護壁４１に両対向壁４１Ｂが連設されているものの、本発明によると、両対向壁４１Ｂの代わりに単一の補強壁を設けてもよく、この場合には通し孔４２Ａを設けない構成としてもよい。
【図面の簡単な説明】
【００４８】
【図１】実施形態１におけるムービングプレートを雄側コネクタに組み付ける前の状態であって両コネクタの嵌合前の状態を示した側面図
【図２】ムービングプレートを雄側コネクタに対し初期位置に組み付けた状態であって両コネクタの嵌合前の状態を示した側面図
【図３】両コネクタの嵌合後の状態を示した側面図
【図４】雌側コネクタが嵌合方向に対し縦方向に傾いた不正姿勢をとってフード内に進入してきた状態を示す側断面図
【図５】雌側コネクタが嵌合方向に対し横方向に傾いた不正姿勢をとってフード内に進入してきた状態を示す側断面図
【図６】ムービングプレートを雄側コネクタに対し初期位置に組み付けた状態であって両コネクタの嵌合前の状態を示した側断面図
【図７】初期位置においてフード内に雌側コネクタが正規に嵌合した状態を示した側断面図
【図８】雄側コネクタの正面図
【図９】雌側コネクタの正面図
【図１０】ムービングプレートの斜視図
【図１１】ムービングプレートの正面図
【図１２】ムービングプレートの側面図
【図１３】ムービングプレートの平面図
【図１４】ムービングプレートの底面図
【図１５】ムービングプレートの背面図
【図１６】雄側ハウジングの側面図
【図１７】雄側ハウジングの正面図
【符号の説明】
【００４９】
１０…雄側コネクタ
１１…雄側サブコネクタ
１２…雄側フレーム
１３…雄側サブハウジング
１４…フード部
２０…雄端子金具
４０…ムービングプレート
４１…保護壁
４１Ａ…切欠部
４２…プレート本体部
４７…位置決め孔
６０…雌側コネクタ
６１…雌側サブコネクタ
６２…雌側フレーム
６３…雌側サブハウジング
６６…凹部
【図１】
2010146930.tif 000003
【図２】
2010146930.tif 000004
【図３】
2010146930.tif 000005
【図４】
2010146930.tif 000006
【図５】
2010146930.tif 000007
【図６】
2010146930.tif 000008
【図７】
2010146930.tif 000009
【図８】
2010146930.tif 000010
【図９】
2010146930.tif 000011
【図１０】
2010146930.tif 000012
【図１１】
2010146930.tif 000013
【図１２】
2010146930.tif 000014
【図１３】
2010146930.tif 000015
【図１４】
2010146930.tif 000016
【図１５】
2010146930.tif 000017
【図１６】
2010146930.tif 000018
【図１７】
2010146930.tif 000019